(57)【要約】【課題】広い留置室や集会室等において、必要な場合には容易にトイレを出現させることができるような、多用途ルームに適したトイレを提供する。【解決手段】和風の大便器２よりなるトイレ設備１において、該大便器２は金隠し部を有さない小判形の形状とすると共に、上部に取り外し可能な蓋体３を具備し、前記大便器２をトイレ設備１の床面４より低く設置すると共に該大便器２に前記蓋体３を取り付けた時に該蓋体３の上面が前記床面４と同じ高さとなるように形成した。【選択図】        図１
2004190290.tif 000002
【特許請求の範囲】
【請求項１】
和風の大便器よりなるトイレ設備において、該大便器は金隠し部を有さない小判形の形状とし、上部に取り外し可能な蓋体を具備したトイレ設備。
【請求項２】
前記大便器をトイレの床面より低く設置すると共に該大便器に前記蓋体を取り付けた時に該蓋体の上面がトイレの床面と同じ高さとなるように形成した請求項１に記載のトイレ設備。
【請求項３】
前記大便器及び前記蓋体は、ステンレス鋼板製の頑丈な構造とした請求項１又は請求項２に記載のトイレ設備。
【請求項４】
前記大便器を設置したトイレの床面に、前記蓋体が丁度嵌入する大きさの蓋穴を形成し、該蓋穴の内周部に沿ってステンレス鋼板を張り巡らせた請求項１乃至請求項３のいずれか１に記載のトイレ設備。
【請求項５】
前記蓋体は、該蓋体を前記大便器に固定するためのハンドルロック機構を回動自在に具備しており、該ハンドルロック機構は、前記大便器に係止可能な留金を枢着すると共に、該ハンドルロック機構の駆動ハンドルが係脱自在に形成されている請求項１又は請求項２に記載のトイレ設備。
【請求項６】
前記大便器は、上縁部を断面が下向きのコ字状を有する上縁部材で取り巻いて、該上縁部材の上面を平坦に形成すると共に、該上縁部材に前記ハンドルロック機構の前記留金の係止部を形成した請求項５に記載のトイレ設備。
【請求項７】
前記蓋体は、該蓋体の下面に縁部に沿ってトリムシールを具備しており、該トリムシールを前記大便器の上縁部材の上面に密着させて該蓋体が前記大便器を密閉する構造に形成した請求項５又は請求項６に記載のトイレ設備。
【請求項８】
床面に金隠しのない和風の大便器を設置し、該大便器に前記蓋体を係止すると共に、これら蓋体及び床面の上に敷物を敷いて前記大便器を隠すことと、前記敷物と前記蓋体を除去して和風トイレの使用が可能に形成した請求項１乃至請求項７のいずれか１に記載のトイレ設備。
【請求項９】
前記床面に係脱可能な間仕切りを設けて、該間仕切りにより前記大便器を有する複数の区域に分割可能に形成した請求項８に記載のトイレ設備。
【請求項１０】
警察の留置室において、四方に壁を有する独立したトイレ室からなる第１トイレと、囲いを有さない第２トイレとを同一留置室内に設置し、該第２トイレを前記蓋体を具備した和風の大便器からなるものとすると共に、該第２トイレの上に敷物を敷いて前記大便器を隠すことと、前記敷物と前記蓋体を除去して該第２トイレの使用が可能に形成した請求項１乃至請求項７のいずれか１に記載のトイレ設備。
【発明の詳細な説明】
【０００１】
【発明の属する技術分野】
本発明は、警察の留置室のトイレ等に適応するトイレ設備に関する。
【０００２】
【従来の技術】
警察の留置室のトイレには、例えば従来からステンレス製の大便器からなる和風トイレが用いられており、このような和風トイレは四方に壁を設けて、独立したトイレ室に形成されていた。
【０００３】
【発明が解決しようとする課題】
しかし、粗暴な者や常時監視を必要とする者を留置しておく留置室にあっては、前記独立したトイレ室は密室となり易く、監視の目が届かなくなるという問題点があった。
【０００４】
又、このような警察の留置室以外にも、大型の集会所等で、臨時にトイレ室にもなり、又、集会室にも戻せるような多用途ルームが必要であるという問題があった。
【０００５】
本発明はこれらの問題点を解消し、トイレから元の留置室又は集会室に簡単に戻すことのできるような、多用途ルームに適したトイレ設備を提供することを目的とする。
【０００６】
【課題を解決するための手段】
本発明は上記の目的を達成すべく、和風の大便器よりなるトイレ設備において、該大便器は金隠し部を有さない小判形の形状とし、上部に取り外し可能な蓋体を具備した。
【０００７】
【発明の実施の形態】
本発明の一実施の形態を図面により説明する。
【０００８】
図１は本発明の一実施の形態のトイレ設備１の側面図、図２は同上トイレ設備１の平面図、又、図３は図２のＩＩ−ＩＩ線截断面図を示す。
【０００９】
図１において、２は和風の大便器で、ステンレス鋼板からなり、金隠し部を有さず、上縁を平坦に形成すると共に全体を縦長の小判形の平面形状に形成している。
【００１０】
前記大便器２は、トイレ設備１の床面４よりも低く設置すると共に、大便器２の上に蓋体３を装着した時に、該蓋体３の上面が前記床面４と同じ高さとなるように形成されている。
【００１１】
尚、４ａは前記蓋体３が嵌入するように前記床面４に設けた蓋穴で、該蓋穴４ａの内周部に沿ってステンレス鋼の縁板４ｂを張り巡らせて、該蓋穴４ａを補強するようにしている。
【００１２】
尚、２ａはトイレ洗浄水の供給管、５は排水管、又、５ａは該排水管５に介在した排水トラップ部である。
【００１３】
前記蓋体３もステンレス鋼板製で、図２に示す如く縦長の八角形状に形成し、図３に示す如く、前記大便器２の上部を密閉するように係止される。
【００１４】
即ち、前記大便器２は、断面が下向きのコ字状の上縁部材２ｂで上縁部を取り巻き、該上縁部材２ｂにより前記大便器２の上縁部に平坦部２ｂａを有するように形成されており、又、前記蓋体３は、該蓋体３の下面の縁部に沿って設けたトリムシール３ａを前記大便器２の上縁部の平坦部２ｂａに当接させて着座する。
【００１５】
前記トリムシール３ａの前記平坦部２ｂａとの当接部には、弾力性を有するパッキン又はグロメット３ａｂを貼着して、トリムシール３ａと平坦部２ｂａとが互いに気密に密着するように形成されている。
【００１６】
前記蓋体３は、２組のハンドルロック機構６を具備している。これらハンドルロック機構６は、前記蓋体３の前部及び後部に各々設けられており、各ハンドルロック機構６は、円形の頭部を有する回動軸６ａを回動自在に前記蓋体３に軸着すると共に、前記大便器２に係止するための留金６ｂを該回動軸６ａに枢着して形成されている。
【００１７】
前記回動軸６ａを頭部より見た平面図を図４に示した。
【００１８】
即ち、前記回動軸６ａの頭部には、縦長のスリットを有する丸穴６ａｂが穿たれており、この丸穴６ａｂには、ハンドルロック機構６を駆動するためのハンドル（図示せず）を着脱自在に挿入する構造になっている。
【００１９】
尚、前記ハンドルロック機構６は、枢着した前記留金６ｂを、前記大便器２に設けた上縁部材２ｂの、大便器２内への垂下部分２ｂｃに係止してロックが形成されるようになっている。
【００２０】
次に本実施の形態のトイレ設備１の利用方法及びその効果について説明する。
【００２１】
警察の留置室にあっては、独立したトイレ室からなる第１トイレと、囲いを有さない第２トイレとを同一留置室内に設置し、該第２トイレを本発明のトイレ設備１よりなるものとする。
【００２２】
又、多用途ルームにあっては、多数のトイレ設備１を該多用途ルーム内に設置をしておく。
【００２３】
警察の留置室又は多用途ルーム等に設置された複数のトイレ設備１は、普段は大便器２に蓋体３を係止し、ハンドルロック機構６の留金６ｂａを大便器２の上縁部材２ａの垂下部分２ｂｃに係止して、蓋体３を大便器２に固定すると共に下水管からの臭気を封じ込めるようにしている。
【００２４】
尚、前記ハンドルロック機構６を駆動するハンドル（図示せず）は取り外しが可能なので、取り外してある。
【００２５】
そして、これら蓋体３及び床面４の上を覆うように畳やカーペット等の敷物を敷きつめて、広い部屋として利用される。
【００２６】
そして、留置室において常時監視が可能なトイレ（第２トイレ）を必要とするようになれば、独立したトイレ室（第１トイレ）に施錠をして使用できないようにし、トイレ設備１の上を覆った敷物を外し、蓋体３も取り去って、トイレとして使用可能にする。
【００２７】
又、多用途ルームにおいて多くのトイレを必要とするようになれば、同様にトイレ設備１の上を覆った敷物を外し、蓋体３も取り去って、トイレとして使用可能にする。この時、必要に応じて部屋内を分割して仕切りを設け、使用者のプライバシーを守るようにしてもよい。
【００２８】
尚、前記トイレの床面４の蓋穴４ａの内周に沿ってステンレス鋼の縁板４ｂを張り巡らせたので、該蓋穴４ａの周りの床面４の強度を増強させると共に、前記蓋体３の該蓋穴４ａへの出し入れ時に、スムーズに出し入れを行なうことができる効果を有する。
【００２９】
【発明の効果】
このように本発明によれば、予め複数のトイレを設けた部屋を準備しておき、これらトイレの上に畳等の敷物を敷いて、広い部屋として利用し、必要に応じて前記畳等の敷物を外して対応できるので、多用途ルームとして部屋の利用範囲が広がり、経済的となる効果を有する。
【図面の簡単な説明】
【図１】本発明の一実施の形態のトイレ設備の側面図である。
【図２】同上トイレ設備の平面図である。
【図３】図２におけるＩＩ−ＩＩ線截断面図である。
【図４】同上トイレ設備の一部、ハンドルロック機構部の平面図である。
【符号の説明】
１    トイレ設備
２    大便器
２ｂ  上縁部材
３    蓋体
３ａ  トリムシール
４ａ  蓋穴
６    ハンドルロック機構
６ｂ  留金
【図１】
2004190290.tif 000003
【図２】
2004190290.tif 000004
【図３】
2004190290.tif 000005
【図４】
2004190290.tif 000006